(57)【要約】【課題】アナログ信号処理部とディジタル信号処理部とが混在する信号処理回路を小型で調整が容易で，安定的に動作させる。【解決手段】特定のアナログ放送波の映像中間周波信号を取り入れて，当該映像中間周波信号を直交検波器１３において直交検波しＩ信号とＱ信号とを生成する。生成されたＩ信号及びＱ信号は夫々レベル調整器１８を介して所定レベルに調整されて出力される。該生成されレベル調整器１８で所定信号レベルに調整されたＩ信号とＱ信号は，Ａ／Ｄ変換器１４，１５でもってディジタル信号に変換される。該生成されたディジタル信号はディジタル信号処理器１において信号処理されディジタルデータとして出力される。この様に構成された信号処理回路を用いて妨害波除去装置を構成する。【選択図】  図１
2005142956.tif 000002
【特許請求の範囲】
【請求項１】
アナログ信号処理部とディジタル信号処理部とを具備した信号処理回路において，
前記アナログ信号処理部とディジタル信号処理部との間であって，前記アナログ信号処理部の出力側に, 該アナログ信号処理部から出力されるアナログ信号レベルを所望のレベルに調整可能なレベル調整手段を備えたことを特徴とした信号処理回路。
【請求項２】
請求項１に記載の信号処理装置を具備したことを特徴とした妨害波除去装置。
【請求項３】
前記妨害波除去装置は，
受信アンテナから入力される受信信号の中から，希望波に対して送信周波数が所定周波数オフセットされた妨害波を含む所定放送チャンネルのテレビ放送信号を選局して，当該テレビ信号の映像中間周波周波数信号及び音声中間周波信号を出力する選局手段と，
当該選局手段から出力される映像中間周波信号を直交検波することによりＩ信号とＱ信号とを生成するアナログ信号処理部と，
当該アナログ信号処理部において生成したＱ信号をＡ／Ｄ変換した信号をディジタル処理することにより前記Ｉ信号に含まれる妨害波信号成分を生成し，当該生成した妨害波信号成分を前記Ｉ信号から除去しＤ／Ａ変換することにより，前記妨害波信号成分を除去した映像信号を生成するディジタル信号処理部と，
当該ディジタル信号処理部にて生成された映像信号と，前記選局復調手段から出力される音声中間周波信号とに基づき，所定放送チャンネルのテレビ放送信号を生成するテレビ放送信号生成手段と，
を備え，
前記アナログ信号処理部の出力側には，検波出力レベルを所定レベルに調整可能なレベル調整手段を備えたことを特徴とした妨害波除去装置。
【発明の詳細な説明】
【技術分野】
【０００１】
本発明は，アナログ信号とディジタル信号とを備えた信号処理回路に関し，詳しくは当該信号処理回路を小型化・調整の容易化をすると共に，前記処理回路の安定的動作を行うための回路に関する。また，この信号処理回路を用いた妨害波除去装置に関する。
【背景技術】
【０００２】
従来のアナログ信号処理部とディジタル信号処理部を備えた信号処理装置においては，アナログ信号処理部から出力されたアナログ信号は，Ａ／Ｄ変換器を用いてディジタル信号に変換されてディジタル処理部に入力され，信号処理されて出力されていた。
（例えば，特許文献１参照）
【０００３】
【特許文献１】特開平７−７９３９０号公報
【発明の開示】
【発明が解決しようとする課題】
【０００４】
しかし，従来例のように，アナログ信号処理部である直交検波器の出力と，当該出力信号をディジタル信号処理してデータとして出力するディジタル信号処理部とは，製品の小型化のために多層基板を用いて配設される場合がある。そしてその多層基板において夫々個別に特性確認できるようにも構成されており，このためアナログ信号処理部においては出力レベルを所定レベルに設定できるように，ディジタル信号処理部においては入力レベルが最適化されて前記ディジタル信号処理部に入力されるように，各処理部夫々にレベル調整手段が備えられていた。
ところがこのようにレベル調整手段を各処理部に備えさせることは，調整工数が増えることとなると共に，レベル調整手段を構成する部材が余分に必用であり，延いては処理部の占める割合が大きくなり製品の小型化ができないばかりでなく，製品のコストアップとなっていた。
そこで本願においては，こうした問題点を解決するためになされたものであり，
その目的は，小型で調整が容易であるが安定的に動作する信号処理回路を提供することにある。
他の目的は，小型で調整が容易であるが安定的に動作する信号処理回路を具備した妨害波除去装置を提供することにある。
【課題を解決するための手段】
【０００５】
上記課題を解決するために，請求項１の発明は，アナログ信号処理部とディジタル信号処理部とを具備した信号処理回路において，前記アナログ信号処理部とディジタル信号処理部との間であって，前記アナログ信号処理部の出力側に, 該アナログ信号処理部から出力されるアナログ信号レベルを所望のレベルに調整可能なレベル調整手段を備えるように構成される。
【０００６】
請求項２の発明は，請求項１に記載の構成をした信号処理回路を具備させるように妨害波除去装置を構成する。
【０００７】
請求項３の発明は，前記妨害波除去装置は，
受信アンテナから入力される受信信号の中から，希望波に対して送信周波数が所定周波数オフセットされた妨害波を含む所定放送チャンネルのテレビ放送信号を選局して，当該テレビ信号の映像中間周波周波数信号及び音声中間周波信号を出力する選局手段と，
当該選局手段から出力される映像中間周波信号を直交検波することによりＩ信号とＱ信号とを生成するアナログ信号処理部と，
当該アナログ信号処理部において生成したＱ信号をＡ／Ｄ変換した信号をディジタル処理することにより前記Ｉ信号に含まれる妨害波信号成分を生成し，当該生成した妨害波信号成分を前記Ｉ信号から除去しＤ／Ａ変換することにより，前記妨害波信号成分を除去した映像信号を生成するディジタル信号処理部と，
当該ディジタル信号処理部にて生成された映像信号と，前記選局復調手段から出力される音声中間周波信号とに基づき，所定放送チャンネルのテレビ放送信号を生成するテレビ放送信号生成手段と，
を備え，
前記アナログ信号処理部の出力側には，検波出力レベルを所定レベルに調整可能なレベル調整手段を備えるように構成される。
【発明の効果】
【０００８】
以上詳述したように，請求項１の発明によれば，アナログ信号処理部とディジタル信号処理部とを具備した信号処理回路において，前記アナログ信号処理部とディジタル信号処理部との間であって，前記アナログ信号処理部の出力側に, 該アナログ信号処理部から出力されるアナログ信号レベルを所望のレベルに調整可能なレベル調整手段を備えるように構成したので，小型で調整が容易であるが安定的に動作する信頼性の高い信号処理回路を提供することができる。
【０００９】
請求項２の発明によれば，小型且つ調整が容易な，安価でも安定的に動作する信頼性の高い信号処理回路を具備した妨害波除去装置を提供することができる。
【００１０】
請求項３の発明によれば，前記妨害波除去装置は，受信アンテナから入力される受信信号の中から，希望波に対して送信周波数が所定周波数オフセットされた妨害波を含む所定放送チャンネルのテレビ放送信号を選局して，当該テレビ信号の映像中間周波周波数信号及び音声中間周波信号を出力する選局手段と，当該選局手段から出力される映像中間周波信号を直交検波することによりＩ信号とＱ信号とを生成するアナログ信号処理部と，当該アナログ信号処理部において生成したＱ信号をＡ／Ｄ変換した信号をディジタル処理することにより前記Ｉ信号に含まれる妨害波信号成分を生成し，当該生成した妨害波信号成分を前記Ｉ信号から除去しＤ／Ａ変換することにより，前記妨害波信号成分を除去した映像信号を生成するディジタル信号処理部と，当該ディジタル信号処理部にて生成された映像信号と，前記選局復調手段から出力される音声中間周波信号とに基づき，所定放送チャンネルのテレビ放送信号を生成するテレビ放送信号生成手段と，を備え，前記アナログ信号処理部の出力側には，検波出力レベルを所定レベルに調整可能なレベル調整手段を備えるように構成したので，
少なくともアナログ信号処理部とディジタル信号処理部とは同一プリント配線板に配設すると共に，更に実装密度を上げるために多層基板を用いて構成することで，レベル調整手段のようなマニュアル操作で調整を行う必要のある部品を，少なくともアナログ信号処理部の出力側に設けるだけで良いので，調整する箇所を最小にするように構成することができ，本願の妨害波除去装置が小型化が実現できると共に，調整工数の低減化，使用分品の削減が可能となり，延いては妨害波除去装置の製品のコストダウンが可能になるのである。
【発明を実施するための最良の形態】
【００１１】
以下に，本発明を具体化した実施形態の例を，図面を基に詳細に説明する。
図１は本願に示す信号処理回路のブロック図を示す図であり，図２は本願に係る信号処理回路を具備した妨害波除去装置の概略説明図である。
【実施例１】
【００１２】
図１に本願に係る発明の信号処理回路の概略図を示す。この図に示す実施例において４はアナログ放送の信号を取り入れて直交検波器１３によってＩ信号とＱ信号を出力するアナログ信号処理部である。５は前記アナログ信号処理部で生成した出力信号を取り入れてディジタル処理してディジタル信号を出力するディジタル信号処理部である。
次に各部について詳細に説明する。アナログ信号処理部４は所定のアナログ放送波の映像中間周波信号を取り入れて，当該映像中間周波信号を直交検波器１３において直交検波することによりＩ信号とＱ信号とを生成する。生成されたＩ信号及びＱ信号は夫々レベル調整器１８，１８を介して所定レベルに調整されて出力される。レベル調整器１８は前記直交検波器から出力されたアナログ信号レベルを可変するために前記直交検波器１３の出力が接続された信号線に介在させた，例えば可変抵抗器等で構成されており，連続的に出力レベルを可変できるように構成されている。なお，レベル調整手段としてスイッチ等の切換手段と減衰器との組み合わせによって，ステップ毎に切換えるように構成しても良い。
【００１３】
ディジタル信号処理部５は，前記アナログ信号処理部４において信号処理され生成され，レベル調整器１８で所定信号レベルに調整されたＩ信号とＱ信号を取り入れ，夫々のアナログ信号はＡ／Ｄ変換器１４，１５でもってディジタル信号に変換される。該生成されたディジタル信号はディジタル信号処理器１において信号処理されディジタルデータとして出力される。なお，ディジタル信号処理部５はディジタル信号を出力するように構成されているが，ディジタル信号処理器１の出力側にＤ／Ａ変換器を具備させて，ディジタル信号処理部５からアナログ信号を出力させるように構成しても良い。
この例に示すようなディジタル信号処理回路は，小型化を実現するために少なくとも前記アナログ信号処理部４と前記ディジタル信号処理部５とは同一プリント配線板に配設すると共に，更に実装密度を上げるために多層基板を用いて構成されている。本願の発明のように，レベル調整手段１８のようなマニュアル操作で調整を行う必要のある部品を，少なくともアナログ信号処理部の出力側に設けるだけで回路構成したので，当該ディジタル信号処理回路の小型化が実現できるのである。
【００１４】
次に本願の集積回路１の駆動回路を用いた妨害波除去装置１０について更に説明する。この妨害波除去装置（例えばオフセットビートキャンセラーを代表例として含まれる妨害波除去装置）１０は，受信アンテナ１１から入力端子１０ａを介して入力される受信信号の中から，希望波に対して送信周波数が所定周波数オフセットされた妨害波を含む所定放送チャンネルのテレビ放送信号を選局して，当該テレビ信号の映像中間周波周波数信号及び音声中間周波信号を出力するチューナ１２と，
当該チューナ１２から出力される映像中間周波信号を直交検波部１３において直交検波することにより所定レベルにレベル調整器１８で調整されたＩ信号とＱ信号とを生成し，当該生成したI信号とＱ信号をＡ／Ｄ変換器１４，１５においてディジタル変換したディジタル信号を， ディジタル処理部１においてディジタル処理することにより，前記Ｉ信号に含まれる妨害波信号成分を生成し，当該生成した妨害波信号成分を前記Ｉ信号から除去しディジタルデータとして出力する。 更にこのディジタルデータをＤ／Ａ変換器１６によってアナログ信号に変換することにより，前記妨害波信号成分を除去した映像信号を生成し，この映像信号と前記チューナ１２から出力される音声中間周波信号とに基づき，所定放送チャンネルのテレビ放送信号を生成する変調部１８とを備え，当該生成されたテレビ放送信号を受信信号として出力端子１０ｂから出力するように構成されている。
尚，この実施例に示すディジタル処理部はＡＳＩＣで構成されている。
【００１５】
このように，多種類に亘る回路要素からなる妨害波除去装置は各回路要素の小型化を実現することが，延いては機器の小型化につながる。したがって本願に示す妨害波除去装置は当該装置を小型化するために，上述に示すディジタル信号処理回路のように，少なくとも前記アナログ信号処理部４と前記ディジタル信号処理部５とは同一プリント配線板に配設すると共に，更に実装密度を上げるために多層基板を用いて構成することで，レベル調整手段１８のようなマニュアル操作で調整を行う必要のある部品を，少なくともアナログ信号処理部の出力側に設けるだけで，調整する箇所を最小にするように構成したディジタル信号処理回路を用いたので，本願の妨害波除去装置が小型化が実現できると共に，調整工数の低減化，使用分品の削減が可能となり，延いては妨害波除去装置の製品のコストダウンが可能になるのである。
尚，本発明は上記実施の形態に限定されるものではなく，本発明の趣旨を逸脱しない範囲で各部の構成等を適宜に変更して実施することも可能である。
【図面の簡単な説明】
【００１６】
【図１】本願に示す信号処理回路のブロック図を示す。
【図２】本願の信号処理回路を具備した妨害波除去装置の概略説明図である。
【符号の説明】
【００１７】
１…ディジタル信号処理部（ＡＳＩＣ），２…リセット集積回路，３…スイッチング電源，４…アナログ信号処理部，５…ディジタル信号処理部，１０…妨害波除去装置，１０ａ…入力端子， １０ｂ…出力端子， １１…受信アンテナ，１２…チューナ，１３…直交検波部，１４…Ａ／Ｄ変換器，１５…Ａ／Ｄ変換器，１６…Ｄ／Ａ変換器，１７…変調部，１８…レベル調整器
【図１】
2005142956.tif 000003
【図２】
2005142956.tif 000004